(57)【要約】【課題】  植物の光合成を促進させ、植物がよく育つ植物育成用照明装置及び植物育成方法を提供する。【解決手段】  ６００〜６８０ｎｍの間に発光波長を持つ赤色ＬＥＤと、７００〜９００ｎｍの間に発光波長を持つ遠赤色ＬＥＤ又は赤外ＬＥＤを具備するものであり、前記赤色ＬＥＤが発する赤色光と、前記遠赤色ＬＥＤが発する遠赤色光又は前記赤外ＬＥＤが発する赤外光とをパルス状に交互に照射できるものであることを特徴とする植物育成用照明装置。【選択図】  図１
2015192618.tif 000002
【特許請求の範囲】
【請求項１】
６００〜６８０ｎｍの間に発光波長を持つ赤色ＬＥＤと、７００〜９００ｎｍの間に発光波長を持つ遠赤色ＬＥＤ又は赤外ＬＥＤを具備するものであり、前記赤色ＬＥＤが発する赤色光と、前記遠赤色ＬＥＤが発する遠赤色光又は前記赤外ＬＥＤが発する赤外光とをパルス状に交互に照射できるものであることを特徴とする植物育成用照明装置。
【請求項２】
前記赤色ＬＥＤと前記遠赤色ＬＥＤ又は前記赤外ＬＥＤの照射時間、オフ時間及び照射強度のいずれか一つ以上を任意に変更できるものであることを特徴とする請求項１に記載の植物育成用照明装置。
【請求項３】
更に、前記赤色光、前記遠赤色光及び前記赤外光以外の光、又は可視光の全波長域の光を放射可能な他の光源を具備するものであることを特徴とする請求項１又は請求項２に記載の植物育成用照明装置。
【請求項４】
前記他の光源が、青色光又は白色光を放射可能な光源であることを特徴とする請求項３に記載の植物育成用照明装置。
【請求項５】
６００〜６８０ｎｍの間に発光波長を持つ赤色ＬＥＤと、７００〜９００ｎｍの間に発光波長を持つ遠赤色ＬＥＤ又は赤外ＬＥＤを具備する照明装置を準備する工程と、
前記赤色ＬＥＤが発する赤色光と、前記遠赤色ＬＥＤが発する遠赤色光又は前記赤外ＬＥＤが発する赤外光とをパルス状に交互に照射する工程と
を有することを特徴とする植物育成方法。
【請求項６】
前記照射する工程において、前記赤色ＬＥＤと前記遠赤色ＬＥＤ又は前記赤外ＬＥＤの照射時間、オフ時間及び照射強度のいずれか一つ以上を任意に変更することを特徴とする請求項５に記載の植物育成方法。
【請求項７】
前記準備する工程において、前記照明装置として、更に、前記赤色光、前記遠赤色光及び前記赤外光以外の光、又は可視光の全波長域の光を放射可能な他の光源を具備するものを準備することを特徴とする請求項５又は請求項６に記載の植物育成方法。
【請求項８】
前記他の光源を、青色光又は白色光を放射可能な光源とすることを特徴とする請求項７に記載の植物育成方法。
【発明の詳細な説明】
【技術分野】
【０００１】
本発明は、植物育成用照明装置及び植物育成方法に関する。
【背景技術】
【０００２】
植物を完全制御型の閉鎖工場で育成し収穫する技術が求められている。従来、この種の照明装置としては、蛍光灯が用いられていたが、消費電力が大きいため、省エネが期待できるＬＥＤ（発光ダイオード）の照明装置が求められてきた。しかしながら、単に蛍光灯タイプのＬＥＤ照明に置き換えただけでは良好な育成ができず、よく育つＬＥＤ照明が求められていた。
【０００３】
従来、この種の照明装置としては、例えば、特許文献１〜３に記載の構成が知られている。特許文献１には、周期０．５μ秒〜２０ｍ秒、デューティー比（ＤＴ比）２０〜６０％の範囲のパルス光で植物を栽培する技術が開示されている。赤色光のみ、または青色光と赤色光を組み合わせたものを光源として用いることで、連続光を照射するよりも大幅な省エネを達成できる旨が記載されている。
【０００４】
特許文献２には、赤色光と赤外光のそれぞれの積分値が、一方のものよりも大きい光を照射する光源が開示され、長日植物の開花作用を制御することができる旨が記載されている。
【０００５】
特許文献３には、波長４００ｎｍないし波長５００ｎｍの青色の内の波長４５０ｎｍの光量子束を０％ないし５０％、波長６００ｎｍないし波長７００ｎｍの赤色の内の波長６６０ｎｍの光量子束を４０％ないし１００％、波長７００ｎｍないし波長８００ｎｍの遠赤色の内の波長７３０ｎｍの光量子束を０％ないし１０％で、合計１００％とした光を発光する発光ダイオードを有する植物栽培装置が開示されている。この植物栽培装置は、植物の光合成や形態の形成などに対して過剰な遠赤色光による徒長や葉焼けなどの障害を与えることなく、最適の波長を最適の光量子束密度で照射して、植物の観賞的価値を維持するものである。
【先行技術文献】
【特許文献】
【０００６】
【特許文献１】特開平８−２４２６９４号公報
【特許文献２】特開２００２−１９９８１６号公報
【特許文献３】特開平１０−１７８８９９号公報
【発明の概要】
【発明が解決しようとする課題】
【０００７】
しかしながら、特許文献１に記載の照明装置の場合、植物の徒長などが起きることがあり、必ずしも栽培結果が良好でないケースがあった。特に、ＤＴ比が小さいときに、徒長が起き易いという問題があった。
【０００８】
また、特許文献２では、赤外光を用いて花の開花作用を制御できることが開示されているが、植物の育成に必要な光合成への影響は明らかではなかった。
【０００９】
特許文献３では、ＲＧＢ＋赤外のＬＥＤを連続的に照射する装置が開示されているが、このような装置は、エネルギー消費量が多く、また、緑や青など、たくさんの種類のＬＥＤを照明に搭載せねばならず、構成が煩雑になるという課題がある。また、赤外光に関しては、植物の成長段階で照射をストップする技術である。具体的には、株が充実しないうちに花芽が分化してしまうという現象を防ぐために赤外光を暗期の直前に照射する技術である。
【００１０】
本発明は、上記問題点に鑑みてなされたものであって、植物の光合成を促進させ、植物がよく育つ植物育成用照明装置及び植物育成方法を提供することを目的とする。
【課題を解決するための手段】
【００１１】
上記目的を達成するために、本発明では、６００〜６８０ｎｍの間に発光波長を持つ赤色ＬＥＤと、７００〜９００ｎｍの間に発光波長を持つ遠赤色ＬＥＤ又は赤外ＬＥＤを具備するものであり、前記赤色ＬＥＤが発する赤色光と、前記遠赤色ＬＥＤが発する遠赤色光又は前記赤外ＬＥＤが発する赤外光とをパルス状に交互に照射できるものであることを特徴とする植物育成用照明装置を提供する。
【００１２】
このような植物育成用照明装置であれば、従来の蛍光灯を照射する装置や単一波長あるいは異なる波長のＬＥＤを同時に照射する装置と比べて、より植物の光合成を促進させ、植物の成長を促進させることができる。
【００１３】
また、前記赤色ＬＥＤと前記遠赤色ＬＥＤ又は前記赤外ＬＥＤの照射時間、オフ時間及び照射強度のいずれか一つ以上を任意に変更できるものであることが好ましい。
【００１４】
このような植物育成用照明装置であれば、植物の種類や各成長段階に応じて最良の照射条件で光の照射を行うことができる。
【００１５】
また、更に、前記赤色光、前記遠赤色光及び前記赤外光以外の光、又は可視光の全波長域の光を放射可能な他の光源を具備するものであることが好ましい。
【００１６】
このような植物育成用照明装置は、赤色光、遠赤色光及び赤外光以外の光、又は可視光の全波長域の光を成長のために必要とする植物を育成するのに好適である。
【００１７】
また、前記他の光源が、青色光又は白色光を放射可能な光源であることが好ましい。
【００１８】
青色光や白色光は、植物種により成長に必要な場合もあるので、育てる植物に応じて、青色光又は白色光を放射可能な光源を追加することが好ましい。
【００１９】
更に、本発明では、６００〜６８０ｎｍの間に発光波長を持つ赤色ＬＥＤと、７００〜９００ｎｍの間に発光波長を持つ遠赤色ＬＥＤ又は赤外ＬＥＤを具備する照明装置を準備する工程と、
前記赤色ＬＥＤが発する赤色光と、前記遠赤色ＬＥＤが発する遠赤色光又は前記赤外ＬＥＤが発する赤外光とをパルス状に交互に照射する工程と
を有することを特徴とする植物育成方法を提供する。
【００２０】
このような植物育成方法であれば、従来の蛍光灯を照射する方法や単一波長あるいは異なる波長のＬＥＤを同時に照射する方法と比べて、より植物の光合成を促進させ、植物の成長を促進させることができる。
【００２１】
また、前記照射する工程において、前記赤色ＬＥＤと前記遠赤色ＬＥＤ又は前記赤外ＬＥＤの照射時間、オフ時間及び照射強度のいずれか一つ以上を任意に変更することが好ましい。
【００２２】
このような植物育成方法であれば、植物の種類や各成長段階に応じて最良の照射条件で光の照射を行うことができる。
【００２３】
また、前記準備する工程において、前記照明装置として、更に、前記赤色光、前記遠赤色光及び前記赤外光以外の光、又は可視光の全波長域の光を放射可能な他の光源を具備するものを準備することが好ましい。
【００２４】
このような植物育成方法は、赤色光、遠赤色光及び赤外光以外の光、又は可視光の全波長域の光を成長のために必要とする植物を育成するのに好適である。
【００２５】
また、前記他の光源を、青色光又は白色光を放射可能な光源とすることが好ましい。
【００２６】
青色光や白色光は、植物種により成長に必要な場合もあるので、育てる植物に応じて、青色光又は白色光を放射可能な光源を追加することが好ましい。
【発明の効果】
【００２７】
本発明の植物育成用照明装置及び植物育成方法であれば、植物の光合成を促進させ、植物の成長を促進させることができる。また、植物の種類や各成長段階に応じて照射条件を設定することができ、他の光源を追加することもできる。
【図面の簡単な説明】
【００２８】
【図１】本発明におけるパルス照射の条件の一例を示す図である。
【図２】本発明におけるパルス照射の条件の他の例を示す図である。
【図３】本発明におけるパルス照射の条件の他の例を示す図である。
【図４】本発明の植物育成用照明装置の一例を示す構成図である。
【図５】本発明の植物育成用照明装置のＬＥＤの配置の一例を示す図である。
【図６】緑色、黄色、橙色、赤色及び深赤色ＬＥＤの発光スペクトルである。
【図７】発光波長が７３０ｎｍの遠赤色ＬＥＤの発光スペクトルである。
【発明を実施するための形態】
【００２９】
以下、本発明をより詳細に説明する。
上記のように、植物の光合成を促進させ、植物がよく育つ植物育成用照明装置及び植物育成方法が求められている。
【００３０】
ここで、植物中のフィトクロムという光受容体について説明する。フィトクロムは、赤色光（６６０ｎｍ）を吸収して、活性化し、様々な光反応を行い、この活性化したフィトクロムは、遠赤色光（７３０ｎｍ）を吸収すると、元の不活性な状態（赤色光を吸収する形態）のフィトクロムに戻ることが知られている。この不活性化フィトクロムも、避陰反応（葉が光のより当たる場所を求めて動くこと）を起こすといったように重要な役割を担っている。このフィトクロムは、一般に芽生えや茎の成長に関わるとされ、育成の初期に重要だとみなされていた。
【００３１】
本発明者らは、植物の光合成を促進させるために、特に、フィトクロムという光受容体に着目し、鋭意検討を行った結果、６００〜６８０ｎｍの間に発光波長を持つ赤色ＬＥＤと、７００〜９００ｎｍの間に発光波長を持つ遠赤色ＬＥＤ又は赤外ＬＥＤを具備するものであり、前記赤色ＬＥＤが発する赤色光と、前記遠赤色ＬＥＤが発する遠赤色光又は前記赤外ＬＥＤが発する赤外光とをパルス状に交互に照射できるものである植物育成用照明装置が、上記課題を解決できることを見出し、本発明を完成させた。
【００３２】
以下、本発明の植物育成用照明装置について図面を参照して具体的に説明するが、本発明はこれらに限定されるものではない。
【００３３】
［植物育成用照明装置］
図５は、本発明の植物育成用照明装置のＬＥＤの配置の一例を示す図である。図５に示すように本発明の植物育成用照明装置は、６００〜６８０ｎｍの間に発光波長を持つ赤色ＬＥＤ１と、７００〜９００ｎｍの間に発光波長を持つ遠赤色ＬＥＤ２を具備する。
【００３４】
図５では、遠赤色ＬＥＤ２を具備する例が図示されているが、遠赤色ＬＥＤ２の代わりに、赤外ＬＥＤを用いることもできる。７００〜９００ｎｍの間に発光波長を持つＬＥＤであれば、いずれのＬＥＤを具備するものであってもよい。
【００３５】
図５は、一例として赤色ＬＥＤ１（６６０ｎｍ）、遠赤色ＬＥＤ２（７３０ｎｍ）、後述する他の光源である青色ＬＥＤ３（４５０ｎｍ）を９：２：３の割合で配置した例であるが、ＬＥＤの配列はこれに限らない。各ＬＥＤにおける括弧内の数字は、発光強度が最大となる波長を表している。
【００３６】
光量子束は、例えば、２５０ｍｍ距離において１８０μｍｏｌ／ｍ２／ｓとすることができるが、光量子束も育成システムや環境によって異なり、これに限らない。
【００３７】
また、本発明の植物育成用照明装置は、上記の赤色ＬＥＤが発する赤色光と、遠赤色ＬＥＤが発する遠赤色光又は赤外ＬＥＤが発する赤外光とをパルス状に交互に照射できるものである。
【００３８】
図４は、本発明の植物育成用照明装置の一例を示す構成図である。図４に示すように、本発明の植物育成用照明装置は、例えば、電源コントローラー４と灯具５から構成される。電源コントローラー４は、例えば、ＡＣ／ＤＣコンバーター６、ＤＣ／ＤＣコンバーター７及びパルス回路８から構成される。灯具５は、例えば、赤色ＬＥＤ１と遠赤色ＬＥＤ２から構成される。もちろん遠赤色ＬＥＤの代わりに、赤外ＬＥＤを用いることもできる。灯具としては、更に、後述する他の光源を具備することもできる。また、灯具は、上述した図５のような配置とすることができる。ＡＣ／ＤＣコンバーターは、交流からＬＥＤに適した直流に変換するものである。また、ＤＣ／ＤＣコンバーターは各ＬＥＤ点灯電圧が波長により異なるためＬＥＤに合わせた電圧に変換するものである。
【００３９】
これらのＬＥＤが発する光をパルス状に交互に照射するための制御手段は、特に限定されないが、例えば、マイコン（コントローラー）９等の制御機構を挙げることができる。この場合、図４のパルス回路８をこのマイコン９で制御することによって、灯具５のパルス照射のタイミングをずらすことができる。
【００４０】
このように、上記の少なくとも２つの異なる波長の光をパルス状に交互に照射することで、省エネを達成しつつ、初期の育成、例えば苗の育成を効率よく達成することができる。更に、株の育成も効率よく達成することができる。このように本発明であれば、植物の光合成を促進させることができる。
【００４１】
また、赤色ＬＥＤと遠赤色ＬＥＤ又は赤外ＬＥＤの照射時間、オフ時間及び照射強度のいずれか一つ以上を任意に変更できるものであることが好ましい。図４の電源コントローラー４を制御することによって、これらの照射条件を任意に変更することができる。これにより、植物の種類、各成長段階及び環境等に応じて照射条件を設定することができるので、植物の成長をより促進させることができる。
【００４２】
更に、後述する他の光源、例えば、青色ＬＥＤを照射させる場合も同様に、赤色光、遠赤色光又は赤外光、青色光の順番に照射（順次パルス状に照射）することができる。また、このように各波長の光を順番に照射しても良いし、照射サイクルの中に更に照射しない時間を設けるようにしても良い。また、他の光源は、パルス状に照射しなくてもよい。
【００４３】
［パルス照射の条件について］
ここで、パルス照射における照射時間とオフ時間の時間調整の条件について図面を参照して具体的に説明するが、本発明はこれらに限定されるものではない。
【００４４】
図１は、本発明におけるパルス照射の条件の一例を示す図である。後述する実施例では、このパルス照射の条件で植物の育成を行っている。図１において、横軸は時間であり、パターンで塗られている部分が各ＬＥＤの照射時間を表している。図１に示すように、赤色ＬＥＤ（６６０ｎｍ）と、他の光源である青色ＬＥＤ（４５０ｎｍ）を同期させて、同じ時間照射、同じ時間ＯＦＦ（休止）し、赤色ＬＥＤと青色ＬＥＤをＯＦＦしている間に、遠赤色ＬＥＤ（７３０ｎｍ）を照射することができる。この場合、赤色ＬＥＤと青色ＬＥＤの照射時間（２００μ秒）は、遠赤色ＬＥＤのオフ時間（２００μ秒）となり、遠赤色ＬＥＤの照射時間（１００μ秒）は、赤色ＬＥＤと青色ＬＥＤのオフ時間（１００μ秒）となる。
【００４５】
図２は、本発明におけるパルス照射の条件の他の例を示す図である。図２に示すように、遠赤色ＬＥＤと赤色ＬＥＤの照射時間が一部かぶっていてもよい。また、青色ＬＥＤは連続光であってもよい。
【００４６】
図３は、本発明におけるパルス照射の条件の他の例を示す図である。図３に示すように、遠赤色ＬＥＤと赤色ＬＥＤのいずれも照射しない時間（休止時間）を設けてもよい。また、他の光源として白色光を放射可能な光源を用いることができる。図３では、この光源から放射される白色光は連続光である。
【００４７】
［ＬＥＤについて］
本発明において、具備することができる赤色ＬＥＤ、遠赤色ＬＥＤ及び赤外ＬＥＤは、上述した発光波長を持つものであれば特に限定されないが、ピーク発光波長（発光強度が最大となる波長）が上述した波長の範囲に含まれているものであることが好ましい。また、発光スペクトル中に単一のピークのみを有するＬＥＤであることが好ましい。
【００４８】
尚、一般的に、遠赤色光の波長は約７００〜８００ｎｍ、赤外光の波長は約７００〜１，０００，０００ｎｍと規定されているが、本発明では必ずしもこれらに限定されず、７００〜９００ｎｍの間に発光波長を持つＬＥＤを具備するものであればよい。
【００４９】
図６は、緑色、黄色、橙色、赤色及び深赤色ＬＥＤの発光スペクトルである。図６において、縦軸は強度（発光強度）、横軸は波長である。赤色ＬＥＤの具体例としては、例えば、発光波長（ピーク発光波長）が６６０ｎｍのもの（図６の深赤色ＬＥＤ）を挙げることができる。この赤色ＬＥＤは、材料（発光素子）としてＡｌＧａＩｎＰを具備している。材料はこれに限定されず、上述した発光波長を持つものであればよい。例えば、ピーク発光波長が６２０ｎｍの赤色ＬＥＤ（図６の赤色ＬＥＤ）や６０５ｎｍの橙色ＬＥＤを具備することもできる（本発明では、発光波長が６００〜６８０ｎｍに入るものを赤色ＬＥＤの中に含まれるものとする。）。これらのＬＥＤの中でも、フィトクロムが６６０ｎｍの光を吸収して活性化するので、ピーク発光波長が６６０ｎｍの赤色ＬＥＤを具備することが特に好ましい。
【００５０】
図７は、発光波長が７３０ｎｍの遠赤色ＬＥＤの発光スペクトルである。図７において、縦軸は強度、横軸は波長である。図７の遠赤色ＬＥＤは、材料としてＡｌＧａＡｓを具備している。材料はこれに限定されず、上述した発光波長を持つものであればよい。
【００５１】
赤外ＬＥＤの具体例としては、例えば、発光波長が８５０ｎｍのものを挙げることができる。この場合、材料としてはＡｌＧａＡｓを用いることができる。材料はこれに限定されず、上述した発光波長を持つものであればよい。
【００５２】
上記の遠赤色ＬＥＤ、赤外ＬＥＤの中でも、フィトクロムが７３０ｎｍの光を吸収して元の不活性な状態に戻るので、ピーク発光波長が７３０ｎｍの遠赤色ＬＥＤを具備することが特に好ましい。
【００５３】
尚、本発明で用いる赤色、遠赤色及び赤外ＬＥＤのピーク発光波長は、必ずしもフィトクロムが活性化する波長（６６０ｎｍ）及び不活性化する波長（７３０ｎｍ）と重ならなくてもよい。
【００５４】
上記のように、照射光源としては、少なくとも赤色ＬＥＤと、遠赤色ＬＥＤ又は赤外ＬＥＤとを備えていればよいが、更に、赤色光、遠赤色光及び赤外光以外の光、又は可視光の全波長（約３００〜８００ｎｍ）域の光を放射可能な他の光源を具備してもよい。例えば、図６の発光波長が５７０ｎｍの緑色ＬＥＤ、５９０ｎｍの黄色ＬＥＤ等を具備することができる。
【００５５】
他の光源は、青色光又は白色光を放射可能な光源、例えば、青色ＬＥＤ、白色ＬＥＤであることが好ましい。図５に示すように、青色光を放射可能な光源として、青色ＬＥＤ３を具備することができる。他の光源は、消費電力を抑えるという点ではＬＥＤであることが好ましいが、もちろんＬＥＤに限定されない。例えば、他の光源として、蛍光灯を使用してもよい。他の光源を具備する植物育成用照明装置は、赤色光、遠赤色光及び赤外光以外の光、又は可視光の全波長域の光を成長のために必要とする植物を育成するのに好適である。
【００５６】
［植物育成方法について］
更に、本発明では、６００〜６８０ｎｍの間に発光波長を持つ赤色ＬＥＤと、７００〜９００ｎｍの間に発光波長を持つ遠赤色ＬＥＤ又は赤外ＬＥＤを具備する照明装置を準備する工程と、
前記赤色ＬＥＤが発する赤色光と、前記遠赤色ＬＥＤが発する遠赤色光又は前記赤外ＬＥＤが発する赤外光とをパルス状に交互に照射する工程と
を有する植物育成方法を提供する。これにより、従来の蛍光灯を照射する方法や単一波長あるいは異なる波長のＬＥＤを同時に照射する方法と比べて、より植物の光合成を促進させ、植物の成長を促進させることができる。
【００５７】
［準備する工程］
まず、６００〜６８０ｎｍの間に発光波長を持つ赤色ＬＥＤと、７００〜９００ｎｍの間に発光波長を持つ遠赤色ＬＥＤ又は赤外ＬＥＤを具備する照明装置を準備する。赤色ＬＥＤ、遠赤色ＬＥＤ及び赤外ＬＥＤとしては、上述の植物育成用照明装置に具備するものと同様のものを用いることができる。
【００５８】
［照射する工程］
次に、赤色ＬＥＤが発する赤色光と、遠赤色ＬＥＤが発する遠赤色光又は赤外ＬＥＤが発する赤外光とをパルス状に交互に照射する。これらのＬＥＤが発する光をパルス状に交互に照射する方法は特に限定されないが、例えば、図４のマイコン９等の制御機構を具備する照明装置を準備することによって、パルス状に交互に照射することができる。パルス照射の条件としては、例えば、図１〜図３に示された条件を採用することができるが、これに限定されない。
【００５９】
また、照射する工程において、赤色ＬＥＤと遠赤色ＬＥＤ又は赤外ＬＥＤの照射時間、オフ時間及び照射強度のいずれか一つ以上を任意に変更することが好ましい。これにより、植物の種類や各成長段階に応じて最良の照射条件で光の照射を行うことができる。照射条件を任意に変更する方法は特に限定されないが、例えば、上述の図４の電源コントローラー４を具備する照明装置を準備し、この電源コントローラー４を制御することによって、これらの照射条件を任意に変更することができる。
【００６０】
また、準備する工程において、照明装置として、更に、赤色光、遠赤色光及び赤外光以外の光、又は可視光の全波長域の光を放射可能な他の光源を具備するものを準備することが好ましい。このような植物育成方法は、赤色光、遠赤色光及び赤外光以外の光、又は可視光の全波長域の光を成長のために必要とする植物を育成するのに好適である。
【００６１】
また、他の光源を、青色光又は白色光を放射可能な光源とすることが好ましい。青色光や白色光は、植物種により成長に必要な場合もあるので、育てる植物に応じて、青色光又は白色光を放射可能な光源を追加することが好ましい。他の光源としては、上述の植物育成用照明装置に具備するものと同様のものを用いることができる。
【実施例】
【００６２】
以下、実施例及び比較例を示して本発明をより具体的に説明するが、本発明はこの実施例に限定されるものではない。
【００６３】
（実施例１，２，３，４）
図４，５に示す照射装置を用いてフリルレタスの苗育成を行った。
栽培試験は、完全人工光型水耕栽培システムによって行い、赤色（６６０ｎｍ）、遠赤色（７３０ｎｍ）、青色（４５０ｎｍ）ＬＥＤのパルス照射光源を用いた。また、図１に示す条件で、パルス照射を行った。この際、赤色、遠赤色、青色ＬＥＤのパルス照射時間（ＯＮ時間）は、表１に示すように実施例ごとに変えて栽培を行った。表１に、実施例の条件と栽培結果を示す。
【００６４】
（比較例１、２）
比較例１は蛍光灯、比較例２は赤色と青色ＬＥＤの連続照射型光源を用いて、フリルレタスの苗育成を行った。表１に、比較例の条件と栽培結果を示す。
【００６５】
【表１】
2015192618.tif 000003
【００６６】
表１に示すように、実施例１〜４は、どの条件においても、光源として蛍光灯のみを用いた比較例１及び赤色と青色の連続光光源を用いた比較例２の結果よりも重量アップとなり、育成効率がよかった。特に、実施例１〜４において、赤色＋青色ＬＥＤのＯＮ時間（照射時間）が２００μ秒と４００μ秒では、４００μ秒の方が育成結果は良好であった。さらに、赤色＋青色ＬＥＤのＯＮ時間が同じ条件で比べれば、遠赤色光の照射時間が１００μ秒と５０μ秒では、５０μ秒と短い方が、育成結果が良好であった。
【００６７】
（実施例５，６，７，８）
フリルレタス苗を蛍光灯下で１４日生育した後、定植し、図４，５に示す照射装置を用いて株の育成を行った。また、図１に示す条件で、パルス照射を行った。この際、赤色、遠赤色、青色ＬＥＤのパルス照射時間は、表２に示すように実施例ごとに変えて株の育成を行った。表２に、実施例の条件と育成結果を示す。
【００６８】
（比較例３、４）
フリルレタス苗を蛍光灯下で１４日生育した後、定植し、比較例３は蛍光灯、比較例４は赤色と青色ＬＥＤの連続照射型光源を用いて株の育成を行った。表２に、比較例の条件と育成結果を示す。
【００６９】
【表２】
2015192618.tif 000004
【００７０】
表２に示すように、実施例５〜８は、どの条件においても、株を育成する際の光源として蛍光灯のみを用いた比較例３及び赤色と青色の連続光光源を用いた比較例４の結果よりも重量アップとなり、育成効率がよかった。苗育成時の結果ほど明らかではないが、赤色＋青色ＬＥＤのＯＮ時間が２００μ秒と４００μ秒では、４００μ秒の方が重量は大きくなる傾向があった。さらに、株育成時にも苗育成時と同じように、赤＋青ＬＥＤのＯＮ時間が同じ条件で比べれば、遠赤色光の照射時間が１００μ秒と５０μ秒では、５０μ秒と短い方が育成結果は良好であった。
【００７１】
（実施例９）
青色光を照射しない条件でフリルレタス株の育成を行った。他の条件（照射時間等）は、実施例８と同様の条件とした。結果を表３に示す。
【００７２】
（比較例５）
赤色を照射しない条件でフリルレタス株の育成を行った。他の条件（照射時間等）は、実施例８と同様の条件とした。結果を表３に示す。
【００７３】
【表３】
2015192618.tif 000005
【００７４】
実施例９と比較例５の結果から明らかなように、植物の光合成に効果のある照射条件は赤色と遠赤色の照射であって、青色は補助的な役割であることが分かった。
【００７５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００７６】
１…赤色ＬＥＤ、  ２…遠赤色ＬＥＤ、  ３…青色ＬＥＤ、  ４…電源コントローラー、  ５…灯具、  ６…ＡＣ／ＤＣコンバーター、  ７…ＤＣ／ＤＣコンバーター、  ８…パルス回路、  ９…マイコン（コントローラー）。
【図１】
2015192618.tif 000006
【図２】
2015192618.tif 000007
【図３】
2015192618.tif 000008
【図４】
2015192618.tif 000009
【図５】
2015192618.tif 000010
【図６】
2015192618.tif 000011
【図７】
2015192618.tif 000012